(57)【要約】【課題】フューエルキャップの外周部を掴めない構造にし、利用者の指の車体との接触を防止するとともに、フューエルキャップの強引な取り外しを防止する。【解決手段】フューエルインレットパイプ２とゴムホース３との接合部分を下方から覆い隠して保護する樹脂製のプロテクタ５を燃料注入口付近まで延設し、フューエルキャップ４の外周周囲に沿うようにプロテクタ５の延設部分５ａを配設し、延設部分５ａによりフューエルキャップ４の外周周囲を覆うようにする。このとき、フューエルキャップ４の外周とプロテクタ５の延設部分５ａとの隙間に人の指が挿入できない程度に、プロテクタ５の延設部分５ａをフューエルキャップ４の外周に接近配置する。【選択図】図１
2015182533.tif 000002
【特許請求の範囲】
【請求項１】
燃料タンクに連結され燃料注入口付近がむき出し状態で車体に取り付けられたフューエルインレットと、前記フューエルインレットの前記燃料注入口に装着され中央の把持部が把持されて開閉されるフューエルキャップとを備えた車両の燃料注入部構造において、
一端側に前記燃料注入口を有するフューエルインレットパイプと、
前記フューエルインレットパイプの他端と前記燃料タンクとを接合するゴムホースと、
前記フューエルインレットパイプと前記ゴムホースとの接合部分を下方から覆い隠すプロテクタとを備え、
前記プロテクタが前記燃料注入口付近まで延設され、前記プロテクタの延設部分が前記フューエルキャップの外周周囲に沿うように配設されて前記延設部分により前記外周周囲が覆われていることを特徴とする車両の燃料注入部構造。
【発明の詳細な説明】
【技術分野】
【０００１】
本発明は、燃料タンクに連結され注入口付近がむき出し状態で車体に取り付けられたフューエルインレットと、フューエルインレットの前記注入口に装着され中央の把持部が把持されて開閉されるフューエルキャップとを備えた車両の燃料注入部構造に関する。
【背景技術】
【０００２】
一般に、図３に示す軽トラック５０では、荷台５１の下方に燃料注入部構造５２が配置されている（例えば、特許文献１）。具体的には、図４に示すように、一端側に燃料注入口を有する金属製のフューエルインレットパイプ５５と、このフューエルインレットパイプ５５の他端と荷台５１の下方に取り付けられた燃料タンク５６とを接合するゴムホース５７と、燃料注入口に装着され中央に形成されたつまみ状の把持部５８ａが把持されて開閉されるフューエルキャップ５８と、車体構造部材５９に取り付けられフューエルインレットパイプ５５とゴムホース５７との接合部分を下方から覆い隠して保護する樹脂製のプロテクタ６０とを備えている。なお、図４において、６１はフューエルインレットパイプ５５とゴムホース５７との接合部分、および、ゴムホース５７と燃料タンク５６との接合部分それぞれに取り付けられて締め付けるクランプである。
【０００３】
このとき、燃料注入口のキャップ５８にはイグニッションキーによりロックおよびロック解除される鍵が設けられ、ロックを解除した状態でキャップ５８を回すことにより、キャップ５８が外れて燃料注入口が開放され、燃料の注入が可能な状態になる。
【先行技術文献】
【特許文献】
【０００４】
【特許文献１】特開２０１１−２１３１５２号公報（段落００２１〜００２５および図１参照）
【発明の概要】
【発明が解決しようとする課題】
【０００５】
しかし、軽トラック５０の燃料注入部構造５２は、上記したように燃料注入口付近がむき出し状態であるため、図５に示すように、キャップ５８のロックを解除した状態で把持部５８ａを把持してキャップ５８を回せば、簡単にキャップ５８を取り外すことができるが、利用者が間違ってキャップ５８の外周部を掴んでキャップ５８を回すことも考えられ、このような場合には、燃料注入口が荷台５１に近接しているため、キャップ５８の外周部を掴んで回す際に、図４に示すように、利用者の指が荷台５１の下縁の折れ曲がり部に接触することが考えられる。
【０００６】
また、キャップ５８のロックがかかった状態で、キャップ５８の外周部を掴んでキャップ５８を強引に回すと、キャップ５８に無理なストレスが入るため、キャップとしての機能を損なう恐れがある。
【０００７】
本発明は、フューエルキャップの外周部を掴めない構造にし、利用者の指の車体との接触を防止するとともに、フューエルキャップに無理なストレスを入れないようにすることを目的とする。
【課題を解決するための手段】
【０００８】
上記した目的を達成するために、本発明の車両の燃料注入部構造は、燃料タンクに連結され燃料注入口付近がむき出し状態で車体に取り付けられたフューエルインレットと、前記フューエルインレットの前記燃料注入口に装着され中央の把持部が把持されて開閉されるフューエルキャップとを備えた車両の燃料注入部構造において、一端側に前記燃料注入口を有するフューエルインレットパイプと、前記フューエルインレットパイプの他端と前記燃料タンクとを接合するゴムホースと、前記フューエルインレットパイプと前記ゴムホースとの接合部分を下方から覆い隠すプロテクタとを備え、前記プロテクタが前記燃料注入口付近まで延設され、前記プロテクタの延設部分が前記フューエルキャップの外周周囲に沿うように配設されて前記延設部分により前記外周周囲が覆われていることを特徴としている（請求項１）。
【発明の効果】
【０００９】
請求項１に係る発明によれば、プロテクタを燃料注入口付近まで延設してプロテクタの延設部分をフューエルキャップの外周周囲に沿うように配設し、プロテクタの延設部分によりフューエルキャップの外周周囲を覆うようにしたため、利用者が誤ってプロテクタとフューエルキャップの外周との間に指を挿入しようとしても挿入できず、利用者がフューエルキャップの外周部を掴むことが阻止される。
【００１０】
そのため、従来のように、利用者がフューエルキャップの外周部を掴むことによる利用者の指の車体との接触を防止することができるとともに、フューエルキャップへの無理なストレスを防止することができ、利用者の不用意な動作やフューエルキャップの機能の不具合を未然に防止することが可能になる。
【図面の簡単な説明】
【００１１】
【図１】本発明に係る車両の燃料注入部構造の一実施形態の一部の正面図である。
【図２】図１のフューエルキャップの拡大図である。
【図３】一般の軽トラックの斜視図である。
【図４】従来例の一部の正面図である。
【図５】図４の使用状態の説明図である。
【発明を実施するための形態】
【００１２】
本発明に係る車両の燃料注入部構造を軽トラックに適用した場合の一実施形態について、図１および図２を参照して詳細に説明する。なお、本実施形態における軽トラックの構造は図３に示すものと同様であるため、以下では図３も参照して説明する。
【００１３】
本実施形態における燃料注入部構造１は、軽トラック５０の荷台５１の下方に配置されており、図１に示すように、一端側に燃料注入口を有する金属製（鉄製）のフューエルインレットパイプ２と、このフューエルインレットパイプ２の他端と荷台５１の下方に取り付けられた燃料タンク５６とを接合するゴムホース３と、燃料注入口に装着され中央に形成されたつまみ状の把持部４ａが把持されて開閉されるフューエルキャップ４と、車体構造部材５９に取り付けられフューエルインレットパイプ２とゴムホース３との接合部分を下方から覆い隠して保護する樹脂製のプロテクタ５とを備えている。
【００１４】
そして、プロテクタ５は、図１に示すように、燃料注入口付近まで延設され、フューエルキャップ４の外周周囲がプロテクタ５の延設部分５ａにより覆われている。このとき、フューエルキャップ４の外周とプロテクタ５の延設部分５ａとの隙間に人の指が挿入できない程度に、プロテクタ５の延設部分５ａがフューエルキャップ４の外周に接近配置されている。なお、図１において、７はフューエルインレットパイプ２とゴムホース３との接合部分、および、ゴムホース３と燃料タンク５６との接合部分それぞれに取り付けられて締め付けるクランプである。
【００１５】
このように、プロテクタ５の延設部分５ａをフューエルキャップ４の外周に接近配置することにより、利用者が誤ってプロテクタ５の延設部分５ａとフューエルキャップ４の外周との間に指を挿入しようとしても挿入することができなくなり、利用者がフューエルキャップ４の外周部を掴むことが阻止される。
【００１６】
したがって、上記した実施形態によれば、プロテクタ５を燃料注入口付近まで延設し、プロテクタ５の延設部分５ａとフューエルキャップ４の外周との間に指が入らないようにプロテクタ５の延設部分５ａによりフューエルキャップ４の外周周囲を覆うことにより、従来のように、利用者がフューエルキャップ４の外周部を掴むことによる利用者の指の荷台５１の下縁との接触を阻止するとともに、フューエルキャップ４への無理なストレスを阻止することができ、利用者の不用意な動作やフューエルキャップ４の機能の不具合を未然に防止することが可能になる。
【００１７】
なお、本発明は上記した実施形態に限定されるものではなく、その趣旨を逸脱しない限りにおいて上述したもの以外に種々の変更を行なうことが可能である。
【００１８】
例えば、上記した実施形態では、軽トラック５０に本発明を適用した場合について説明したが、本発明の適用範囲は軽トラックに限るものではなく、要するに燃料注入口がむき出しの状態で車体に取り付けられたフューエルインレットを備える車両であれば、本発明を適用することが可能である。
【符号の説明】
【００１９】
２    …フューエルインレットパイプ
３    …ゴムホース
４    …フューエルキャップ
４ａ  …把持部
５    …プロテクタ
５ａ  …延設部分
５０  …軽トラック（車両）
５１  …荷台（車体）
５６  …燃料タンク
【図１】
2015182533.tif 000003
【図２】
2015182533.tif 000004
【図３】
2015182533.tif 000005
【図４】
2015182533.tif 000006
【図５】
2015182533.tif 000007